(57)【要約】【課題】無線通信手段間の干渉の低減および消費電力の低減を図ること。【解決手段】本発明にかかる情報端末装置１は、ＲＦＩＤ処理部３を備えるとともに、識別情報等を外部管理装置に対して送信する通信手段としてブルートゥース処理部５と無線ＬＡＮ処理部６とを備える。情報端末装置１は、選択された処理モードに対応する処理部の電源をオン状態とし、他の処理部の電源をオフ状態とする制御部７をさらに備えるため、消費される電力を低減することが可能となる。また、入力された処理モードに対応する処理部の電源のみがオン状態とされるため、ＲＦＩＤ処理部３、ブルートゥース処理部５および無線ＬＡＮ処理部６との間の干渉を低減することが可能となる。【選択図】      図１
2005223822.tif 000002
【特許請求の範囲】
【請求項１】
識別情報記録媒体に記録された識別情報を取得する読取処理を行なう読取手段と、外部装置に対して前記識別情報を送信する送信処理を行なう複数の通信手段とを備えた情報端末装置において、
前記通信手段は、第１の通信方式にしたがって第１の前記送信処理を行なう第１の通信手段と、前記第１の通信手段と異なる第２の通信方式にしたがって第２の前記送信処理を行なう第２の通信手段とを有し、
前記読取処理と前記第１の送信処理と前記第２の送信処理との少なくともいずれか一つの処理を指示する指示情報を入力する入力手段と、
前記入力手段に入力された指示情報をもとに指示された処理を検出し、該処理を行なう前記読取手段および／または前記通信手段を処理可能状態とし、他の前記読取手段および／または前記通信手段を処理不可状態とする制御手段と、
を備えたことを特徴とする情報端末装置。
【請求項２】
前記制御手段は、前記入力手段に入力された指示情報をもとに指示された処理を検出し、該処理を行なう前記読取手段および／または前記通信手段の電源をオン状態とし、他の前記読取手段および／または前記通信手段の電源をオフ状態またはスタンバイ状態とすることを特徴とする請求項１に記載の情報端末装置。
【請求項３】
前記第２の通信手段は、前記第１の通信手段と比較し通信エリアが広い通信手段であることを特徴とする請求項１または２に記載の情報端末装置。
【請求項４】
前記第１の通信方式は、ＩＥＥＥ８０１．１５．１規格に基づく通信方式であり、
前記第２の通信方式は、ＩＥＥＥ８０１．１１ａ規格、ＩＥＥＥ８０１．１１ｂ規格またはＩＥＥＥ８０１．１１ｇ規格に基づく通信方式であることを特徴とする請求項１〜３のいずれか一つに記載の情報端末装置。
【請求項５】
前記第１の通信手段および前記第２の通信手段は、ほぼ同じ周波数帯の電波を用いて前記送信処理を行なうことを特徴とする請求項１〜４のいずれか一つに記載の情報端末装置。
【請求項６】
前記読取手段は、前記読取処理とともに、前記識別情報記録媒体に対して情報を書き込む書込処理を行ない、
前記通信手段は、前記送信処理とともに、外部装置からの送信情報を受信する受信処理を行なうことを特徴とする請求項１〜５のいずれか一つに記載した情報端末装置。
【請求項７】
前記読取処理、前記送信処理または前記書込処理の完了を表示するとともに、前記識別情報および／または前記送信情報を表示する表示手段を備えたことを特徴とする請求項６に記載の情報端末装置。
【発明の詳細な説明】
【技術分野】
【０００１】
この発明は、識別情報記録媒体に記録された識別情報を取得する読取処理を行なう読取手段と、前記識別情報の送信処理を行なう複数の通信手段とを備えた情報端末装置に関する。
【背景技術】
【０００２】
従来から、無線通信システムの１つとして、ＲＦＩＤ（Radio Frequency Identification）システムが開発されており、商品管理等に利用されている。ＲＦＩＤシステムでは、識別情報等が記録されたＲＦＩＤタグを管理対象に取り付け、専用の情報端末装置を用いて所定周波数の電波を介してＲＦＩＤタグに記録された識別情報等を読み取る読取処理を行なう。情報端末装置は、読取処理によって読み取ったＲＦＩＤタグの識別情報等を外部の管理装置に送信し、管理対象を管理している。
【０００３】
近年、無線通信技術の発達にともない、たとえば、ブルーツゥースモジュールと無線ＬＡＮ（Local Area Network）モジュールとを無線通信機器として搭載した情報端末装置が提案されている（特許文献１参照）。この情報端末装置は、読み取ったＲＦＩＤタグの識別情報等をブルーツゥースモジュールまたは無線ＬＡＮモジュールを用いて外部管理装置に送信している。
【０００４】
無線ＬＡＮには、標準仕様として、ＩＥＥＥ８０２．１１ａ規格，ＩＥＥＥ８０２．１１ｂ規格，ＩＥＥＥ８０２．１１ｇ規格がある。ＩＥＥＥ８０２．１１ａ規格は、５．２ＧＨｚ帯の電波を用い、ＩＥＥＥ８０２．１１ｂ規格およびＩＥＥＥ８０２．１１ｇ規格は、２，４ＧＨｚ帯の電波を用いる。また、ブルートゥースには、標準仕様として、ＩＥＥＥ８０１．１５．１規格がある。ブルートゥースは、２．４ＧＨｚ帯の２．４ＧＨｚ〜２．４８３５ＧＨｚの電波を用いる。ブルートゥースは、Ｗ−ＰＡＮ（Wireless Personal Area Network）技術の一方式であり、無線ＬＡＮと比較し通信範囲が狭い、狭域ネットワークである。また、ＲＦＩＤでは、一般に、１２５ＫＨｚ、１３．５６ＭＨｚ、２．４５ＧＨｚの周波数帯の電波を使用している。
【０００５】
【特許文献１】特開２００３−１２２８９６号公報
【発明の開示】
【発明が解決しようとする課題】
【０００６】
しかしながら、従来の情報端末装置では、情報端末装置に搭載された複数の無線通信機器がほぼ同じ周波数帯を使用している場合、これらの複数の無線通信機器を同時に動作させると互いに干渉を起こし、通信速度の低下を招くという問題があった。
【０００７】
また、近年、情報端末装置の小型化が求められており、これにともない情報端末装置の省電力化が必要とされている。しかしながら、複数の無線通信機器を同時に動作させ、外部管理装置に対して識別情報等の送信を行なわせた場合、これらの無線通信機器の駆動によって消費される電力が多くなり、情報端末装置の省電力化に支障をきたしていた。このため、情報端末装置に搭載される電池の小型化が困難であり、情報端末装置の小型化を図ることができないという問題があった。
【０００８】
この発明は、上記した従来技術の欠点に鑑みてなされたものであり、複数の無線通信手段を備える場合であっても、無線通信手段間の干渉を防止するとともに省電力化を実現する情報端末装置を提供することを目的とする。
【課題を解決するための手段】
【０００９】
請求項１にかかる情報端末装置は、識別情報記録媒体に記録された識別情報を取得する読取処理を行なう読取手段と、外部装置に対して前記識別情報を送信する送信処理を行なう複数の通信手段とを備えた情報端末装置において、前記通信手段は、第１の通信方式にしたがって第１の前記送信処理を行なう第１の通信手段と、前記第１の通信手段と異なる第２の通信方式にしたがって第２の前記送信処理を行なう第２の通信手段とを有し、前記読取処理と前記第１の送信処理と前記第２の送信処理との少なくともいずれか一つの処理を指示する指示情報を入力する入力手段と、前記入力手段に入力された指示情報をもとに指示された処理を検出し、該処理を行なう前記読取手段および／または前記通信手段を処理可能状態とし、他の前記読取手段および／または前記通信手段を処理不可状態とする制御手段と、を備えたことを特徴とする。
【００１０】
本発明にかかる情報端末装置によれば、読取手段および複数の通信手段を有する場合であっても、入力手段に入力された指示情報をもとに指示された処理を検出し、該処理を行なう読取手段および／または通信手段を処理可能状態とし、他の読取手段および／または通信手段を処理不可状態とする制御手段を備えることによって、指示された処理を行なわない読取手段および／または通信手段において消費される電力の低減を図ることが可能となる。
【００１１】
請求項２にかかる情報端末装置は、前記制御手段は、前記入力手段に入力された指示情報をもとに指示された処理を検出し、該処理を行なう前記読取手段および／または前記通信手段の電源をオン状態とし、他の前記読取手段および／または前記通信手段の電源をオフ状態またはスタンバイ状態とすることを特徴とする。
【００１２】
請求項３にかかる情報端末装置は、前記第２の通信手段は、前記第１の通信手段と比較し通信エリアが広い通信手段であることを特徴とする。
【００１３】
請求項４にかかる情報端末装置は、前記第１の通信方式は、ＩＥＥＥ８０１．１５．１規格に基づく通信方式であり、前記第２の通信方式は、ＩＥＥＥ８０１．１１ａ規格、ＩＥＥＥ８０１．１１ｂ規格またはＩＥＥＥ８０１．１１ｇ規格に基づく通信方式であることを特徴とする。
【００１４】
請求項５にかかる情報端末装置は、前記第１の通信手段および前記第２の通信手段は、ほぼ同じ周波数帯の電波を用いて前記送信処理を行なうことを特徴とする。
【００１５】
請求項６にかかる情報端末装置は、前記読取手段は、前記読取処理とともに、前記識別情報記録媒体に対して情報を書き込む書込処理を行ない、前記通信手段は、前記送信処理とともに、外部装置からの送信情報を受信する受信処理を行なうことを特徴とする。
【００１６】
請求項７にかかる情報端末装置は、前記読取処理、前記送信処理または前記書込処理の完了を表示するとともに、前記識別情報および／または前記送信情報を表示する表示手段を備えたことを特徴とする。
【発明の効果】
【００１７】
本発明にかかる情報端末装置によれば、読取手段および複数の通信手段を有する場合であっても、入力手段に入力された指示情報をもとに指示された処理を検出し、該処理を行なう読取手段および／または通信手段を処理可能状態とし、他の読取手段および／または通信手段を処理不可状態とする制御手段を備えることによって、指示された処理を行なわない読取手段および／または通信手段において消費される電力の低減を図ることが可能となる。また、本発明にかかる情報端末装置によれば、複数の通信手段がほぼ同じ周波数帯の電波を用いる場合であっても、該複数の通信手段が同時に処理可能状態となることはないため、通信手段間の干渉を防止することができる。
【発明を実施するための最良の形態】
【００１８】
以下、図面を参照して、この発明の実施の形態である情報端末装置について説明する。なお、この実施の形態によりこの発明が限定されるものではない。また、図面の記載において、同一部分には同一の符号を付している。
【００１９】
（実施の形態）
まず、実施の形態にかかる情報端末装置の一例として、ＲＦＩＤタグに記録された識別情報等を取得するＲＦＩＤタグ読取処理を行なうＲＦＩＤ処理部のほか、該ＲＦＩＤタグ読取処理によって取得された識別情報等を外部管理装置に対して送信する複数の無線通信処理部を備えた情報端末装置について説明する。本実施の形態にかかる情報端末装置は、操作者が指示した処理モードに対応する処理部を処理可能状態とし、他の処理部を処理不可状態として、ＲＦＩＤ処理部および複数の無線通信処理部の同時動作を制限している。図１は、本実施の形態にかかる情報端末装置１の概略構成を示すブロック図である。
【００２０】
図１に示すように、情報端末装置１は、入力部２と、アンテナ３ａを有するＲＦＩＤ処理部３と、記憶部４と、アンテナ５ａを有するブルートゥース処理部５と、アンテナ６ａを有する無線ＬＡＮ処理部６と、制御部７と、表示部８とを備える。入力部２と、ＲＦＩＤ処理部３と、記憶部４と、ブルートゥース処理部５と、無線ＬＡＮ処理部６と、表示部８とは、制御部７に電気的に接続される。制御部７は、入力部２と、ＲＦＩＤ処理部３と、記憶部４と、ブルートゥース処理部５と、無線ＬＡＮ処理部６と、表示部８とを制御する。また、アンテナ３ａはＲＦＩＤ処理部３に電気的に接続され、アンテナ５ａはブルートゥース処理部５に電気的に接続され、アンテナ６ａは無線ＬＡＮ処理部６に電気的に接続される。ＲＦＩＤ処理部３はアンテナ３ａを制御し、ブルートゥース処理部５はアンテナ５ａを制御し、無線ＬＡＮ処理部６はアンテナ６ａを制御する。
【００２１】
入力部２は、情報端末装置１が行なう複数の処理のうち、情報端末装置１が行なう処理を指示する指示情報である処理モードを入力する複数の入力キー等を備える。入力部２は、処理モードの入力を受け付けるとともに、受け付けた処理モードの内容を制御部７に送出する。ここで、処理モードとして、ＲＦＩＤモードとブルートゥースモードと無線ＬＡＮモードとがある。ＲＦＩＤモードとは、ＲＦＩＤ処理部３に対して、ＲＦＩＤタグ（図示せず）に記録された識別情報等を取得するＲＦＩＤタグ読取処理を行なわせる処理モードである。ブルートゥースモードとは、ブルートゥース処理部５に対して、ブルートゥースモジュールを備えた外部管理装置に対して識別情報等を送信する第１の送信処理を行なわせる処理モードである。無線ＬＡＮモードとは、無線ＬＡＮ処理部６に対して、無線ＬＡＮモジュールを備えた外部管理装置に識別情報等を送信する第２の送信処理を行なわせる処理モードである。なお、ＲＦＩＤタグは、識別情報等が記録された記録部と、アンテナ３ａとの間で無線通信を行なうアンテナと、記録部およびアンテナ３ａとを制御する制御部とを備え、情報媒体として機能する。
【００２２】
ＲＦＩＤ処理部３は、読取手段として機能し、入力部２から入力された処理モードがＲＦＩＤモードである場合、制御部７の制御によって電源がオン状態とされて、ＲＦＩＤタグに記録される識別情報等を取得するＲＦＩＤタグ読取処理を行なう。この場合、ＲＦＩＤ処理部３は、制御部７の制御のもと、ＲＦＩＤタグの識別情報等を取得するためにＲＦＩＤタグに対して送信する送信情報に対応する電気信号を必要に応じて変調し、アンテナ３ａに送出する。そして、ＲＦＩＤ処理部３は、アンテナ３ａに対して、この電気信号に対応する所定の電波を出力させるよう制御する。そして、ＲＦＩＤ処理部３は、アンテナ３ａが受信したＲＦＩＤタグからの送信電波に応じた電気信号であって、アンテナ３ａから送出された電気信号を必要に応じて復調し、ＲＦＩＤタグに記録された識別情報を取得する。そして、ＲＦＩＤ処理部３は、取得した識別情報等を制御部７に送出し、ＲＦＩＤタグ読取処理を達成する。なお、ＲＦＩＤ処理部３は、たとえば、１３．５６ＭＨｚの電波を用いて、ＲＦＩＤタグ読取処理を達成している。
【００２３】
アンテナ３ａは、ＲＦＩＤ処理部３の制御のもと、所定の通信領域内に存在するＲＦＩＤタグとの間において所定周波数の電波を送受信するように機能する。すなわち、アンテナ３ａは、ＲＦＩＤ処理部３から入力された電気信号に対応する所定周波数の電波を送信し、または、アンテナ３ａからの送信電波に応じてＲＦＩＤタグが送信した所定周波数の電波を受信する。ここで、アンテナ３ａが受信したＲＦＩＤタグからの送信電波は、ＲＦＩＤタグに記録された識別情報等に対応し、アンテナ３ａは、この受信した所定電波を対応する電気信号に変換し、この電気信号をＲＦＩＤ処理部３に送出する。
【００２４】
記憶部４は、処理プログラム等の各種データが予め記憶されたＲＯＭ（Read Only Memory）と、各処理の演算パラメータ、ＲＦＩＤタグから読み取られた識別情報等を記憶するＲＡＭ（Random Access Memory）とを用いて実現される。
【００２５】
ブルートゥース処理部５は、入力部２から入力された処理モードがブルートゥースモードである場合には、制御部７によって電源がオン状態とされて、制御部７から送出された識別情報等を外部管理装置に対して送信する第１の送信処理を行なう。ブルートゥース処理部５は、ＩＥＥＥ８０２．１５．１規格に基づく無線通信モジュールを用いて実現され、２．４ＧＨｚ帯の２．４ＧＨｚ〜２．４８３５ＧＨｚの電波を用いて、対応する外部管理装置との間で無線通信を行なう。ブルートゥース処理部５は、制御部７の制御のもと、送信する識別情報等に対応する電気信号を必要に応じて変調し、アンテナ５ａに送出する。そして、ブルートゥース処理部５は、アンテナ５ａに対して、この電気信号に対応する所定周波数の電波を出力させるよう制御して、第１の送信処理を行なう。なお、ブルートゥースとはＷ−ＰＡＮ技術の一方式であり、無線ＬＡＮと比較し通信エリアが狭い狭域ネットワークであり、ブルートゥース処理部５の通信エリアは無線ＬＡＮ処理部の通信エリアと比較し狭い。
【００２６】
アンテナ５ａは、ブルートゥース処理部５の制御のもと、ＩＥＥＥ８０２．１５．１規格に基づく無線通信モジュールを備えた外部管理装置に対して、ブルートゥース処理部５から入力された電気信号に対応する所定周波数の電波を送信する。
【００２７】
無線ＬＡＮ処理部６は、入力部２から入力された処理モードが無線ＬＡＮモードである場合には、制御部７によって電源がオン状態とされて、制御部７から送出された識別情報等を外部管理装置に対して送信する第２の送信処理を行なう。無線ＬＡＮ処理部６は、たとえば、ＩＥＥＥ８０２．１１ｂ規格に基づく無線通信モジュールを用いて実現され、２．４ＧＨｚ帯の電波を用いて、対応する外部管理装置との間で無線通信を行なう。無線ＬＡＮ処理部６は、制御部７の制御のもと、送信する識別情報等に対応する電気信号を必要に応じて変調し、アンテナ６ａに送出する。そして、無線ＬＡＮ処理部６は、アンテナ６ａに対して、この電気信号に対応する所定周波数の電波を出力させるよう制御して、第２の送信処理を行なう。なお、前述したように、無線ＬＡＮ処理部の通信エリアは、ブルートゥース処理部５の通信エリアと比較して通信エリアが広い。
【００２８】
アンテナ６ａは、無線ＬＡＮ処理部６の制御のもと、ＩＥＥＥ８０２．１１ｂ規格に基づく無線通信モジュールを備えた外部管理装置に対して、無線ＬＡＮ処理部６から入力された電気信号に対応する所定周波数の電波を送信する。
【００２９】
制御部７は、記憶部４に記憶された処理プログラムを実行するＣＰＵ（Central Processing Unit）を備え、入力部２、ＲＦＩＤ処理部３、記憶部４、ブルートゥース処理部５、無線ＬＡＮ処理部６および表示部８の各処理または動作を制御する。制御部７は、特に処理モードが入力された場合、この処理モードに対応する処理を行なうＲＦＩＤ処理部３、ブルートゥース処理部５または無線ＬＡＮ処理部６のいずれかの電源をオン状態として、処理可能状態とする。そして、制御部７は、入力された処理モードに対応しない処理部に対して、たとえば電源をオフ状態として処理不可状態とする。また、制御部７は、これらの各構成部位に入出力される情報について所定の入出力制御を行い、かつ、この情報に対して所定の情報処理を行う。
【００３０】
表示部８は、たとえば、液晶表示装置（Liquid Crystal Display : ＬＣＤ）、有機エレクトロルミネッセンス表示装置、電流が供給される間発光を継続する発光ダイオード（Light emitting diode : ＬＥＤ）を用いて実現され、制御部７の制御のもと、ＲＦＩＤタグ読取処理の完了、第１の送信処理の完了または第２の送信処理の完了を表示出力する。また、表示部８は、ＲＦＩＤタグ読取処理によって読み取られた識別情報等を表示出力する場合もある。なお、表示部８は、情報端末装置１において処理動作に関するエラーが発生した場合に、制御部７の制御のもと、このエラーを報知する所定のエラー表示を表示出力してもよい。
【００３１】
つぎに、情報端末装置１が行なう処理のうち、ＲＦＩＤタグ読取処理、第１の送信処理および第２の送信処理の処理手順について説明する。図２は、情報端末装置１がＲＦＩＤタグ読取処理、第１の送信処理および第２の送信処理を達成するまでの処理手順を示すフローチャートである。
【００３２】
まず、図２に示すように、入力部２に対して操作者から処理モードが入力される（ステップＳ１０２）。入力される処理モードは、ＲＦＩＤタグに対してＲＦＩＤタグ読取処理を行なうＲＦＩＤモード、狭域ネットワークを利用して識別情報等を送信するブルートゥースモードおよび無線ＬＡＮを利用して識別情報等を送信する無線ＬＡＮモードのいずれかである。入力部２は、入力された処理モードの内容を制御部７に送出し、制御部７は、入力部２から送出された処理モードの内容をもとに、入力された処理モードを検出する（ステップＳ１０４）。
【００３３】
つぎに、制御部７は、処理モードとしてＲＦＩＤモードが選択されたか否かを判断する（ステップＳ１０６）。ＲＦＩＤモードが選択された場合には（ステップＳ１０６：Ｙｅｓ）、制御部７はＲＦＩＤ処理部３に対してＲＦＩＤタグ読取処理を行なわせるよう制御する（ステップＳ１０８）。一方、制御部７は、ＲＦＩＤモードが選択されていないと判断した場合には（ステップＳ１０６：Ｎｏ）、処理モードとしてブルートゥースモードが選択されたか否かを判断する（ステップＳ１１０）。ブルートゥースモードが選択された場合には（ステップＳ１１０：Ｙｅｓ）、制御部７はブルートゥース処理部５に対して第１の送信処理を行なわせるよう制御する（ステップＳ１１２）。一方、制御部７は、ブルートゥースモードが選択されていないと判断した場合には（ステップＳ１１０：Ｎｏ）、処理モードとして無線ＬＡＮモードが選択されたか否かを判断する（ステップＳ１１４）。無線ＬＡＮモードが選択された場合には（ステップＳ１１４：Ｙｅｓ）、制御部７は、無線ＬＡＮ処理部６に対して第２の送信処理を行なわせるよう制御する（ステップＳ１１６）。また、制御部７は、無線ＬＡＮモードが選択されていないと判断した場合には（ステップＳ１１４：Ｎｏ）、ステップＳ１０６に戻り、選択された処理モードを再度判断する。なお、ＲＦＩＤタグ読取処理、第１の送信処理および第２の送信処理の詳細については後述する。
【００３４】
そして、制御部７は、ＲＦＩＤタグ読取処理（ステップＳ１０８）、第１の送信処理（ステップＳ１１２）または第２の送信処理（ステップＳ１１６）が終了した後、新たに処理モードが入力されたか否かを判断し（ステップＳ１１８）、新たに処理モードが入力された場合には（ステップＳ１１８：Ｙｅｓ）、ステップＳ１０４に進み、上述した処理手順を繰り返す。また、制御部７は、新たな処理モードが入力されていないと判断した場合には（ステップＳ１１８：Ｎｏ）、情報端末装置１におけるＲＦＩＤタグ読取処理、第１の送信処理または第２の送信処理は終了する。
【００３５】
つぎに、ＲＦＩＤタグ読取処理、第１の送信処理および第２の送信処理について詳細に説明する。まず、図３を参照し、ＲＦＩＤタグ読取処理について説明する。図３は、ＲＦＩＤタグ読取処理を達成するまでの処理手順を示すフローチャートである。
【００３６】
まず、図３に示すように、ＲＦＩＤタグ読取処理においては、制御部７は無線ＬＡＮ処理部６の電源がオフ状態か否かを判断する（ステップＳ１２２）。制御部７は、無線ＬＡＮ処理部６の電源がオフ状態ではない場合（ステップＳ１２２：Ｎｏ）、すなわち、無線ＬＡＮ処理部６の電源がオン状態のままであると判断した場合には、無線ＬＡＮ処理部６の電源をオフ状態とする（ステップＳ１２４）。そして、ステップＳ１２２に進み、制御部７は、無線ＬＡＮ処理部６の電源がオフ状態とされるまで、無線ＬＡＮ処理部６の電源がオフ状態か否かの判断を繰り返す。
【００３７】
つぎに、制御部７は、無線ＬＡＮ処理部６の電源がオフ状態であると判断した場合には（ステップＳ１２２：Ｙｅｓ）、ブルートゥース処理部５の電源がオフ状態か否かを判断する（ステップＳ１２６）。制御部７は、ブルートゥース処理部５の電源がオフ状態ではない場合（ステップＳ１２６：Ｎｏ）、すなわち、ブルートゥース処理部５の電源がオン状態のままであると判断した場合には、ブルートゥース処理部５の電源をオフ状態とする（ステップＳ１２８）。そして、ステップＳ１２６に進み、制御部７は、ブルートゥース処理部５の電源がオフ状態とされるまでブルートゥース処理部５の電源がオフ状態か否かの判断を繰り返す。
【００３８】
つぎに、制御部７は、ブルートゥース処理部５の電源がオフ状態であると判断した場合には（ステップＳ１２６：Ｙｅｓ）、ＲＦＩＤ処理部３の電源をオン状態とする（ステップＳ１３０）。そして、ＲＦＩＤ処理部３は、制御部７の制御のもと、アンテナ３ａに対して、所定周波数の電波を送信してＲＦＩＤタグから送信された応答電波を受信する送受信処理を行なわせ（ステップＳ１３２）、応答電波に含まれるＲＦＩＤタグの識別情報等を制御部７に送出する。そして、制御部７は、ＲＦＩＤ処理部３から送出された識別情報等を記憶部４に記憶させた後（ステップＳ１３４）、ＲＦＩＤ処理部３の電源をオフ状態として（ステップＳ１３６）、ＲＦＩＤタグ読取処理を終了させる。
【００３９】
このように、ＲＦＩＤタグ読取処理では、ＲＦＩＤタグに対して読取処理を行なうＲＦＩＤ処理部３以外のブルートゥース処理部５の電源および無線ＬＡＮ処理部６の電源をオフ状態とし、ＲＦＩＤ処理部３の電源のみをオン状態としている。
【００４０】
つぎに、第１の送信処理について詳細に説明する。図４は、第１の送信処理を達成するまでの処理手順を示すフローチャートである。まず、第１の送信処理においては、図４に示すように、制御部７は、無線ＬＡＮ処理部６の電源がオフ状態か否かを判断する（ステップＳ１４２）。制御部７は、無線ＬＡＮ処理部６の電源がオフ状態ではない場合（ステップＳ１４２：Ｎｏ）、すなわち、無線ＬＡＮ処理部６の電源がオン状態のままであると判断した場合には、無線ＬＡＮ処理部６の電源をオフ状態とする（ステップＳ１４４）。そして、ステップＳ１４２に進み、制御部７は無線ＬＡＮ処理部６の電源がオフ状態とされるまで、無線ＬＡＮ処理部６の電源がオフ状態か否かの判断を繰り返す。
【００４１】
つぎに、制御部７は、無線ＬＡＮ処理部６の電源がオフ状態であると判断した場合には（ステップＳ１４２：Ｙｅｓ）、ＲＦＩＤ処理部３の電源がオフ状態か否かを判断する（ステップＳ１４６）。制御部７は、ＲＦＩＤ処理部３の電源がオフ状態ではない場合（ステップＳ１４６：Ｎｏ）、すなわち、ＲＦＩＤ処理部３の電源がオン状態のままであると判断した場合には、ＲＦＩＤ処理部３の電源をオフ状態とする（ステップＳ１４８）。そして、ステップＳ１４６に進み、制御部７はＲＦＩＤ処理部３の電源がオフ状態とされるまで、ＲＦＩＤ処理部３の電源がオフ状態か否かの判断を繰り返す。
【００４２】
つぎに、制御部７は、ＲＦＩＤ処理部３の電源がオフ状態であると判断した場合には（ステップＳ１４６：Ｙｅｓ）、ブルートゥース処理部５の電源をオン状態とする（ステップＳ１５０）。つぎに、ブルートゥース処理部５は、アンテナ５ａに対して所定周波数の電波を送信させて、ＲＦＩＤタグ読取処理によって取得されたＲＦＩＤタグの識別情報等を外部管理装置に対して送信する識別情報送信処理を行なう（ステップＳ１５２）。次いで、識別情報送信処理が終了した後、ブルートゥース処理部５の電源をオフ状態として（ステップＳ１５４）、第１の送信処理を終了させる。
【００４３】
このように、第１の送信処理では、識別情報等を送信するブルートゥース処理部５以外のＲＦＩＤ処理部３の電源５および無線ＬＡＮ処理部６の電源をオフ状態とし、ブルートゥース処理部５の電源のみをオン状態とし送信処理を行なっている。また、第２の送信処理においても、第１の送信処理と同様に、情報送信処理を行なう無線ＬＡＮ処理部６の電源のみをオン状態とし、ＲＦＩＤ処理部３の電源およびブルートゥース処理部５の電源をオフ状態としている。以下、第２の送信処理について説明する。
【００４４】
図５は、第２の送信処理を達成するまでの処理手順を示すフローチャートである。図５に示すように、第２の送信処理では、まず、制御部７がブルートゥース処理部５の電源がオフ状態か否かを判断し（ステップＳ１６２）、ブルートゥース処理部５の電源がオフ状態ではない場合（ステップＳ１６２：Ｎｏ）、すなわち、ブルートゥース処理部５の電源がオン状態のままであると判断した場合にはブルートゥース処理部５の電源をオフ状態とする（ステップＳ１６４）。その後、ステップＳ１６２に進み、制御部７は、ブルートゥース処理部５がオフ状態とされるまで、ブルートゥース処理部５の電源がオフ状態か否かの判断を繰り返す。
【００４５】
そして、制御部７は、ブルートゥース処理部５の電源はオフ状態であると判断した場合には（ステップＳ１６２：Ｙｅｓ）、ＲＦＩＤ処理部３の電源がオフ状態か否かを判断し（ステップＳ１６６）、ＲＦＩＤ処理部３の電源がオフ状態ではない場合（ステップＳ１６６：Ｎｏ）、すなわち、ＲＦＩＤ処理部３の電源がオン状態のままであると判断した場合にはＲＦＩＤ処理部３の電源をオフ状態とする（ステップＳ１６８）。そして、ステップＳ１６６に進み、制御部７は、ＲＦＩＤ処理部３の電源がオフ状態とされるまで、ＲＦＩＤ処理部３の電源がオフ状態か否かの判断を繰り返す。
【００４６】
つぎに、制御部７は、ＲＦＩＤ処理部３の電源がオフ状態であると判断した場合には（ステップＳ１６６：Ｙｅｓ）、無線ＬＡＮ処理部６の電源をオン状態とする（ステップＳ１７０）。つぎに、無線ＬＡＮ処理部６は、アンテナ６ａに対して所定周波数の電波を送信させて、ＲＦＩＤタグ読取処理において取得されたＲＦＩＤタグの識別情報等を外部管理装置に対して送信する識別情報送信処理を行なう（ステップＳ１７２）。次いで、識別情報送信処理が終了した後、無線ＬＡＮ処理部６の電源をオフ状態として（ステップＳ１７４）、第１の送信処理を終了させる。
【００４７】
このように、情報端末装置１では、入力された処理モードに応じた処理を行なう処理部の電源のみをオン状態として処理可能状態とし、他の処理部の電源をオフ状態として、ＲＦＩＤタグ読取処理、第１の送信処理または第２の送信処理を行なう。すなわち、図６に示すように、ＲＦＩＤモードが入力された場合は、ＲＦＩＤタグ読取処理を行なうＲＦＩＤ処理部３の電源のみをオン状態とし、他のブルートゥース処理部５の電源および無線ＬＡＮ処理部６の電源はオフ状態としている。また、ブルートゥースモードが入力された場合は、第１の送信処理を行なうブルートゥース処理部５の電源のみをオン状態とし、他のＲＦＩＤ処理部３の電源および無線ＬＡＮ処理部６の電源はオフ状態としている。また、無線ＬＡＮモードが入力された場合は、第２の送信処理を行なう無線ＬＡＮ処理部６の電源のみをオン状態とし、他のＲＦＩＤ処理部３の電源および無線ＬＡＮ処理部６の電源はオフ状態としている。
【００４８】
したがって、情報端末装置１では、ＲＦＩＤ処理部３、ブルートゥース処理部５および無線ＬＡＮ処理部６は、同時に動作しない。このため、ブルートゥース処理部５および無線ＬＡＮ処理部６がほぼ同じ周波数帯の電波を用いて無線通信を行なう場合であっても、各処理部が電波を送信する送信処理期間は重ならない。この結果、アンテナ５ａから送信される電波とアンテナ６ａから送信される電波の間で干渉が発生することはない。したがって、本実施の形態にかかる情報端末装置１は、通信速度の低下を低減することが可能となり、所定の通信速度を保持した正確な無線通信を行なうことが可能となる。
【００４９】
また、情報端末装置１では、ＲＦＩＤ処理部３、ブルートゥース処理部５および無線ＬＡＮ処理部６のうち入力された処理モードに対応する処理部の電源のみがオン状態とされて動作する。このため、入力された処理モードに対応しない処理部の電源はオフ状態とされ、情報端末装置１における消費電力の低減を図ることが可能となる。したがって、情報端末装置１の消費電力の低減を図ることができ、バッテリなどの電池を小さくすることが可能となり、情報端末装置１の小型化を実現することができる。
【００５０】
なお、制御部７は、入力部２から選択された処理モードに対応する処理部の電源をオン状態とし、それ以外の処理部の電源をオフ状態とする場合について説明したが、これに限らず、入力部２から選択された処理モードに対応しない処理部をスタンバイ状態としてもよい。また、制御部７は、入力部２から選択された処理モードに対応しない処理部への供給電力を下げるよう制御してもよく、また、入力部２から選択された処理モードに対応しない処理部に接続するアンテナの出力範囲を狭めてもよい。このような場合も、処理部の電源をオフ状態とする場合と同様に、処理モードに対応しない処理部で消費される電力を低減することが可能となり、情報端末装置１の省電力化を測ることが可能となる。
【００５１】
つぎに、情報端末装置１の具体的構成について説明する。図７は、情報端末装置１の全体構成を例示する分解斜視図である。図７に示す各部材を組み合わせることによって、本実施の形態にかかる情報端末装置１が構成される。
【００５２】
この情報端末装置は、上部ハウジング１１と、下部ハウジング１２と、ガスケット部材１３とによって筐体が形成されている。ガスケット部材１３は、弾性部材を用いて環状に形成されており、上部ハウジング１１と下部ハウジング１２とを係合する際に、それぞれの係合部分に設けられた溝部にはめ込まれて弾性変形し、上部ハウジング１１と下部ハウジング１２との間に生じる隙間を埋めている。また、図７に示すように、ガスケット部材１３は、下部ハウジング１２に形成された穴部１４に対応した開口部１５を備えた構造であり、後述する操作スイッチ２２と穴部１４との間に生じる隙間も埋めている。
【００５３】
上部ハウジング１１は、画像表示を行うための表示窓８１が形成される。また、上部ハウジング１１は、識別情報等の入力を行なうための複数のボタン２１を備える。表示窓８１は液晶モジュール８２と組み合わされることによって表示部８として機能する。また、ボタン２１は、後述する入力スイッチ２５と連動することで入力部２として機能する。
【００５４】
下部ハウジング１２は、底部にバッテリ収容部１６が形成され、側面部に前述の穴部１４が形成された構造を有する。また、下部ハウジング１２の底部には、アンテナ３ａを構成するループアンテナ３１が配置されており、ループアンテナ３１と接続し、後述する回路基板７１に形成される所定の電子回路によってＲＦＩＤ処理部３が形成される。
【００５５】
バッテリ収容部１６は、情報端末装置１の各構成要素の駆動電力を供給するバッテリ１７を収容するためのものである。バッテリ収容部１６の開口部には蓋部１８がはめ込まれる構成となっており、蓋部１８は、バッテリ１７を収容した状態で開口部にはめ込まれることによってバッテリ１７を外部から保護する機能を有する。
【００５６】
穴部１４は、操作スイッチ２２をはめ込むためのものである。操作スイッチ２２は、処理モードが入力される入力部２を構成し、ＲＦＩＤモード、ブルートゥースモードまたは無線ＬＡＮモードのいずれかが入力される。操作者が操作スイッチ２２を押す回数に対応して各処理モードが選択され、たとえば、操作スイッチ２２を一度押した場合にはＲＦＩＤモードが選択され、操作スイッチ２２を二度押した場合にはブルートゥースモードが選択され、操作スイッチ２２を三度押した場合には無線ＬＡＮモードが選択される。操作者が操作スイッチ２２を押す回数に対応して下部ハウジング１２の底部に設けられた制御スイッチ２４が連動するよう構成されており、制御スイッチ２４の連動によって、選択された処理モードの内容が制御部７に入力される。
【００５７】
上部ハウジング１１、下部ハウジング１２およびガスケット部材１３によって形成される筐体内には、プリント配線基板等によって構成される回路基板７１が配置されている。回路基板７１上には、ボタン２１に対応した入力スイッチ２５が配置される。ボタン２１と入力スイッチ２５と、前述した操作スイッチ２２と制御スイッチ２４とによって入力部２が構成されている。また、回路基板７１上には、表示窓８１に対応した位置に液晶モジュール８２が配置されている。また、回路基板７１上には、ＣＰＵやメモリ等の電子回路群が配置されており、かかる電子回路群によってＲＦＩＤ処理部３、ブルートゥース処理部５、無線ＬＡＮ処理部６、制御部７および記憶部４が構成されている。また、回路基板７１には、アンテナ５ａを構成するアンテナ５２およびアンテナ６ａを構成するアンテナ６２が配置されており、ブルートゥース処理部５または無線ＬＡＮ処理部６と電気的に接続する。
【００５８】
なお、図７では、操作者が操作スイッチ２２を押す回数に対応して各処理モードが選択される場合について説明したが、これに限らず、操作者が操作スイッチ２２を押した場合には、ブルートゥースモードまたは無線ＬＡＮモードが選択されていた場合であっても優先的にＲＦＩＤモードに移行するとしてもよい。また、操作者が操作スイッチ２２を押している間は、操作スイッチ２２を押す前にブルートゥースモードまたは無線ＬＡＮモードが選択されていた場合であっても優先的にＲＦＩＤモードに移行し、ＲＦＩＤタグ読取処理を行なってもよい。この場合、操作スイッチ２２の押圧が解除された場合、すなわち、押されていた操作スイッチ２２から操作者が離れた場合には、操作スイッチ２２が押される前の処理モードに戻ってもよい。
【００５９】
また、操作スイッチ２２を設けて処理モードを入力するほか、図８に示すように、各処理モードに対応する入力ボタンを設けてもよい。図８は、実施の形態にかかる情報端末装置１の具体的構成の他の例を示す平面図である。図８に示すように、実施例２では、ボタン２１の一部に、ＲＦＩＤモード入力ボタン２１Ｒ，ブルートゥースモード入力ボタン２１Ｂ，無線ＬＡＮモード入力ボタン２１Ｌを設ける。ＲＦＩＤモード入力ボタン２１Ｒを押すことによってＲＦＩＤモードが選択され、ブルートゥースモード入力ボタン２１Ｂを押すことによってブルートゥースモードが選択され、無線ＬＡＮモード入力ボタン２１Ｌを押すことによって無線ＬＡＮモードが選択される。また、ＲＦＩＤモード入力ボタン２１Ｒ，ブルートゥースモード入力ボタン２１Ｂ，無線ＬＡＮ入力ボタン２１Ｌの近傍には、各入力ボタンがどの処理モードに対応するものであるかを明示する文字等が記されており、たとえば、図８に示すように、ＲＦＩＤモード入力ボタン２１Ｒの下部には「Ｒ」の文字が配置され、ブルートゥースモード入力ボタン２１Ｂの下部には「Ｂ」の文字が配置され、無線ＬＡＮモード入力ボタン２１Ｌの下部には「Ｌ」の文字が配置される。このように、各処理モードを選択する入力ボタンを設け、処理モードの選択を行なってもよい。
【００６０】
また、制御部７は、情報端末装置１が動作する間、無線ＬＡＮ処理部６の電源をオン状態とし、ＲＦＩＤモードまたはブルートゥースモードが入力された場合には、選択された処理モードに対応する処理部を優先的に動作させるとしてもよい。たとえば、ＲＦＩＤモードが選択された場合には、オン状態であった無線ＬＡＮ処理部６の電源をオフ状態とし、ＲＦＩＤ処理部３の電源をオン状態としてＲＦＩＤタグ読取処理を行なう。そして、ＲＦＩＤタグ読取処理が終了した後、制御部７は、ＲＦＩＤ処理部３の電源をオフ状態とし、無線ＬＡＮ処理部６の電源をオン状態とする。一方、ブルートゥースモードが選択された場合には、オン状態であった無線ＬＡＮ処理部６の電源をオフ状態とし、ブルートゥース処理部５の電源をオン状態として第１の送信処理を行なう。この場合、図９に示すように、各処理モードを選択する入力ボタンは、ＲＦＩＤモード入力ボタン２１Ｒおよびブルートゥースモード入力ボタン２１Ｂを設ければ足りる。ＲＦＩＤモードおよびブルートゥースモードが選択されＲＦＩＤタグ読取処理または第１の送信処理が行なわれる期間以外では、無線ＬＡＮ処理部６の電源はオン状態とされているため、無線ＬＡＮ入力ボタン２１Ｌを設ける必要はない。
【００６１】
また、操作者が選択した一つの処理モードに対応する処理部の電源をオン状態とする場合について説明したが、これに限らず、使用状態によってＲＦＩＤ処理部３、ブルートゥース処理部５または無線ＬＡＮ処理部６のいずれか２つの処理部を組み合わせて、電源をオン状態としてもよい。たとえば、ブルートゥースモードが選択された場合には、ＲＦＩＤ処理部３とブルートゥース処理部５との電源がオン状態とされる。この場合、ＲＦＩＤ処理部３がＲＦＩＤタグ読取処理を行なった後、ブルートゥース処理部５が識別情報等を外部管理装置に対して送信する。なお、無線ＬＡＮ処理部６の電源はオフ状態とされるため、通信電波の干渉の防止および省電力化を図ることが可能である。一方、無線ＬＡＮモードが選択された場合には、ＲＦＩＤ処理部３と無線ＬＡＮ処理部６との電源がオン状態される。この場合、ＲＦＩＤ処理部３がＲＦＩＤタグ読取処理を行なった後、無線ＬＡＮ処理部６が識別情報等を外部管理装置に対して送信する。ブルートゥースモードおよび無線ＬＡＮモードのいずれかの処理モードが入力された場合であってもＲＦＩＤ処理部３の電源はオン状態とされるため、たとえば、操作スイッチ２２を一度押した場合にはブルートゥースモードが選択され、二度押した場合には無線ＬＡＮモードが選択されるよう設定すれば足りる。または、ブルートゥースモード入力ボタン２１Ｂ，無線ＬＡＮモード入力ボタン２１Ｌを設ければ足りる。さらに、ＲＦＩＤ処理部３がＲＦＩＤタグ読取処理を終了した後に、取得した識別情報等を外部管理装置に送信するとして説明したが、これに限らず、ＲＦＩＤタグ読取処理と同時に外部管理装置に識別情報等を送信してもよい。
【００６２】
また、ブルートゥース処理部５および無線ＬＡＮ処理部６が同じ周波数の電波を用いる場合には、図１０に示すように、アンテナ５ａの電気的な接続をブルートゥース処理部５または無線ＬＡＮ処理部６に切り替えるアンテナ切替部９をさらに備えた情報端末装置１０としてもよい。アンテナ切替部９は、ブルートゥースモードが入力部２から入力された場合には、ブルートゥース処理部５とアンテナ５ａとを電気的に接続し、アンテナ５ａから識別情報等を送信する。一方、アンテナ切替部９は、無線ＬＡＮモードが入力部２から入力された場合には、無線ＬＡＮ処理部６とアンテナ５ａとを電気的に接続する。この場合、無線ＬＡＮ処理部６には、アンテナ５ａとアンテナ６ａとが接続されることとなる。無線ＬＡＮ処理部６は、アンテナ５ａとアンテナ６ａとのうち通信状態の良好なアンテナの電波を採用して、外部管理装置との間で無線通信を行なう。このため、情報端末装置１０は、効率よく無線通信を行なうことができる。
【００６３】
また、実施の形態として情報端末装置１，１０について説明したが、これに限らず、図１１に示すように、音声入出力部１０２およびストレージデバイス１０３をさらに備えた情報端末装置１０１としてもよい。なお、制御部７は、入力部２、ＲＦＩＤ処理部３、記憶部４、ブルートゥース処理部５および無線ＬＡＮ処理部６に対する制御のほか、音声入出力部１０２およびストレージデバイス１０３に対する制御も行なう。
【００６４】
情報端末装置１０１において、音声入出力部１０２は、マイクロフォンおよびスピーカーを用いて実現される。音声入出力部１０２は、制御部７の制御のもと、外部からの音声情報を入力するとともに、入力した音声情報を制御部７に送出する。また、音声入出力部１０２は、制御部７の制御のもと、制御部７から入力された音声情報を外部に出力する。なお、音声入出力部１０２は、制御部７の制御のもと、各構成部位による処理の開始または完了を報知する所定の報知音を出力し、または、情報端末装置１０１に処理動作に関するエラーが発生した場合に、制御部７の制御のもと、このエラーを報知する所定のエラー音を出力してもよい。この場合、音声入出力部１０２は、表示部８によるエラー表示の出力と同期して、このエラー表示に対応するエラー音を出力する。
【００６５】
ストレージデバイス１０３は、制御部７の制御のもと、外部から挿入されたスマートメディア、メモリスティック、マルチメディアカード、またはＳＤメモリカード等の記憶媒体を駆動させて、記憶媒体に記憶される情報を読み取る。さらに、ストレージデバイス１０３は、制御部７の制御のもと、制御部７から入力された情報を記憶媒体に対して記録するように機能してもよい。なお、記憶媒体は、ストレージデバイス１０３に対して着脱可能である。
【００６６】
また、情報端末装置１，１０，１０１において、ＲＦＩＤ処理部３は、ＲＦＩＤタグ読取処理に加え、ＲＦＩＤタグに対して情報を書き込むＲＦＩＤタグ書込処理を行なってもよい。制御部７は、ＲＦＩＤ処理部３がＲＦＩＤタグ書込処理を行なった場合、表示部８に対して、ＲＦＩＤタグに対して書き込む情報およびＲＦＩＤタグ書込処理の完了を表示出力させてもよい。また、ブルートゥース処理部５および無線ＬＡＮ処理部６は、外部管理装置に対して識別情報等を送信する場合について説明したが、外部管理装置からの送信情報を受信する受信処理を行なうことができることはもちろんである。制御部７は、ブルートゥース処理部５または無線ＬＡＮ処理部６が受信した情報を表示部８に表示出力させてもよい。
【００６７】
また、本実施の形態では、ＩＥＥＥ８０２．１１ｂ規格に基づいて無線通信を行なう無線ＬＡＮ処理部６を備えた情報端末装置１，１０，１０１について説明したが、これに限らず、ＩＥＥＥ８０２．１１ａ規格またはＩＥＥＥ８０２．１１ｇ規格に基づいて無線通信を行なう無線ＬＡＮ処理部６を備えた情報端末装置に対しても適用することができる。また、本実施の形態では、ＩＥＥＥ８０２．１５．１規格に基づいて無線通信を行なうブルートゥース処理部５を備えた情報端末装置１，１０，１０１について説明したが、これに限らず、ＨｏｍｅＲＦなど、電波を放出する他の無線通信規格に基づく無線通信処理部を備えた情報端末装置に対しても適用することが可能である。また、ＲＦＩＤ処理部３は、１３．５６ＭＨｚの周波数の電波を用いる場合について説明したが、これに限らず、１２．５ＫＨｚ，２．４５ＧＨｚの周波数体の電波を用いてもよい。このような場合であっても、入力された処理モードに対応する処理部のみを処理可能状態とするよう制御することによって、情報端末装置の省電力化を図ることが可能となる。さらに、各処理部がほぼ同じ周波数帯の電波を用いる場合には、各処理部間で用いる電波の干渉を防止することが可能となるため、通信速度の低下を低減することが可能となる。
【００６８】
また、本実施の形態では、情報媒体がＲＦＩＤタグである場合を例として説明したが、もちろん、カード状またはラベル状のＲＦＩＤカードに対してＲＦＩＤタグ読取処理を行なってもよい。また、本実施の形態では、ＲＦＩＤ処理部３を備えた情報端末装置１，１０，１０１を例として説明したが、情報媒体に対して所定周波数の電波を用いて読取処理を行なう無線通信処理部を読取手段として備えた情報端末装置に適用してもよい。この場合、読取手段が読取処理を行なう情報媒体は、所定の識別情報等を記録する記録部と、読取手段との間で無線通信を行なうアンテナと、記録部とアンテナとを制御する制御部を備えた非接触型の情報媒体であれば足りる。
【図面の簡単な説明】
【００６９】
【図１】実施の形態にかかる情報端末装置の概略構成を示すブロック図である。
【図２】ＲＦＩＤタグ読取処理または送信処理を達成するまでの処理手順を示すフローチャートである。
【図３】ＲＦＩＤタグ読取処理を達成するまでの処理手順を示すフローチャートである。
【図４】第１の送信処理を達成するまでの処理手順を示すフローチャートである。
【図５】第２の送信処理を達成するまでの処理手順を示すフローチャートである。
【図６】各処理部における電源のオン状態およびオフ状態を説明する図である。
【図７】実施の形態にかかる情報端末装置の具体的構成を示す分解斜視図である。
【図８】実施の形態にかかる情報端末装置の具体的構成の他の例を示す平面図である。
【図９】実施の形態にかかる情報端末装置の具体的構成の他の例を示す平面図である。
【図１０】実施の形態にかかる情報端末装置の概略構成の他の例を示すブロック図である。
【図１１】実施の形態にかかる情報端末装置の概略構成の他の例を示すブロック図である。
【符号の説明】
【００７０】
１、１０、１０１  情報端末装置
２  入力部
３  ＲＦＩＤ処理部
３ａ、５ａ、６ａ  アンテナ
４  記憶部
５  ブルートゥース処理部
６  無線ＬＡＮ処理部
７  制御部
８  表示部
９  アンテナ切替部
１１  上部ハウジング
１２  下部ハウジング
１３  ガスケット部材
１４  穴部
１５  開口部
１６  バッテリ収容部
１７  バッテリ
１８  蓋部
２１  ボタン
２１Ｒ  ＲＦＩＤモード入力ボタン
２１Ｂ  ブルートゥース入力ボタン
２１Ｌ  無線ＬＡＮモード入力ボタン
２２  操作スイッチ
２４  制御スイッチ
２５  入力スイッチ
３１  ループアンテナ
５２、６２  アンテナ
７１  回路基板
８１  表示窓
８２  液晶モジュール
１０２  音声入出力部
１０３  ストレージデバイス
【図１】
2005223822.tif 000003
【図２】
2005223822.tif 000004
【図３】
2005223822.tif 000005
【図４】
2005223822.tif 000006
【図５】
2005223822.tif 000007
【図６】
2005223822.tif 000008
【図７】
2005223822.tif 000009
【図８】
2005223822.tif 000010
【図９】
2005223822.tif 000011
【図１０】
2005223822.tif 000012
【図１１】
2005223822.tif 000013